(57)【要約】【課題】  当初折り畳まれていた集塵袋の口枠をノズルに嵌合させると、集塵袋本体の外皮部分が作用片によって押し拡げられてノズルの吐出口を塞がない位置に逃がされるようにする。【解決手段】  集塵袋本体１は、外皮部分を形成して互いに重なり合った一対の面状部１２に口枠２が重ね合わされた折畳み形状を有している。使用時には、ノズル１００に口枠２を嵌合することによってノズル１００の吐出口１１０が集塵袋本体１の内側に臨む。口枠２に複数の分割片３１，３２に分けられた作用片３を一体に連設してある。ノズル１００に口枠２を嵌合させと、分割片３１，３２がノズル１００の開口端１１０で押し開かれて集塵袋本体１の面状部１２を押し拡げる。【選択図】        図３
2008061680.tif 000002
【特許請求の範囲】
【請求項１】
通気性を有する袋状の集塵袋本体の開口部に口枠が装備されている掃除機の集塵袋において、
上記集塵袋本体は、その外皮部分を形成している一対の面状部が互いに重なり合ってそれらの面状部に上記口枠が重ね合わされた折畳み形状を有して、流動エアによって運ばれた塵芥を吐出する掃除機のノズルに上記口枠を嵌合することによってそのノズルの吐出口が当該集塵袋本体の内側に臨むようになっており、
上記ノズルに上記口枠を嵌合させるのに伴ってそのノズルの開口端で押し開かれることにより上記集塵袋本体の内側へ突出して、上記吐出口をその前側で塞いでいる上記集塵袋本体の上記面状部を押し拡げてその吐出口の前側位置から逃がす作用片が、上記口枠に備わっているノズル嵌合用の開口の口縁を起点としてその開口内に突き出し、かつ、その作用片が上記ノズルの開口端で押し開かれるときの折曲り箇所がその作用片の上記口縁との連設箇所である基部に位置していると共に、その作用片が、上記ノズルの開口端で押し開かれることによって一対の上記面状部のそれぞれを個別に押し拡げ可能な複数の分割片に分かれており、
上記作用片を有する上記口枠が１枚の厚紙を打ち抜くことによって製作されてその口枠に備わっているノズル嵌合用の開口が打抜き跡によって形成され、
上記口枠が上記ノズルに嵌合されることによってそのノズルの開口端で押し開かれた上記作用片が、上記折曲り箇所からの離反位置で上記ノズルの開口端によって内側から支えられるようになっていることを特徴とする掃除機の集塵袋。
【請求項２】
通気性を有する袋状の集塵袋本体の開口部に口枠が装備されている掃除機の集塵袋において、
流動エアによって運ばれた塵芥を吐出する掃除機のノズルに上記口枠を嵌合することによってそのノズルの吐出口が上記集塵袋本体の内側に臨むようになっていると共に、上記ノズルに上記口枠を嵌合させるのに伴ってそのノズルの開口端で押し開かれることにより上記集塵袋本体の内側へ突出して、上記吐出口をその前側で塞いでいる上記集塵袋本体の外皮部分を押し拡げてその吐出口の前側位置から逃がす作用片が、上記口枠に連設されていることを特徴とする掃除機の集塵袋。
【請求項３】
上記作用片が、上記口枠に備わっているノズル嵌合用の開口の口縁を起点としてその開口内に突き出し、その作用片が上記ノズルの開口端で押し開かれるときの折曲り箇所がその作用片の上記口縁との連設箇所である基部に位置している請求項２に記載した掃除機の集塵袋。
【請求項４】
上記集塵袋本体は、その外皮部分を形成している一対の面状部が互いに重なり合ってそれらの面状部に上記口枠が重ね合わされた折畳み形状を有し、上記作用片が、上記ノズルの開口端で押し開かれることによって一対の上記面状部のそれぞれを個別に押し拡げ可能な複数の分割片に分かれている請求項３に記載した掃除機の集塵袋。
【請求項５】
上記作用片を有する上記口枠が１枚の厚紙を打ち抜くことによって製作されていて、その口枠の上記開口が打抜き跡によって形成されている請求項２ないし請求項４のいずれか１項に記載した掃除機の集塵袋。
【発明の詳細な説明】
【技術分野】
【０００１】
本発明は、掃除機の集塵袋、特に、流動エアによって運ばれた塵芥を吐出する掃除機のノズルに装着されて、そのノズルから吐出された塵芥を捕集することに用いられる掃除機の集塵袋に関する。
【背景技術】
【０００２】
掃除機の集塵袋は、通気性を有する紙材でなる外皮を袋状に形作ってなる集塵袋本体に口枠を取り付けてなり、その口枠を掃除機のノズルに取り付けてそのノズルの吐出口を集塵袋本体の内側に臨ませることによって使用に供される。この種の集塵袋において、口枠を厚紙で製作すること、使用前の集塵袋が偏平に折り畳まれていて、使用時初期（ノズルへの取付け時）に折畳み癖が残っていること、などは一般的に知られており、また、それらは集塵袋の交換に際してもユーザが普通に経験することである（たとえば、特許文献１、特許文献２、特許文献３、特許文献４参照）。
【０００３】
図８は集塵袋Ａの従来例を示した概略斜視図、図９は同集塵袋Ａを膨らました状態を例示した一部破断側面図、図１０は同集塵袋Ａの使用状態を示した一部破断側面図である。
【０００４】
図８の集塵袋Ａは、通気性を有する素材、たとえば紙濾材などの素材を袋状に形作ることによって製作された集塵袋本体１の開口部１１に口枠２を貼着することによって製作されている。また、この集塵袋Ａは、集塵袋本体１の外皮部分を形成している一対の面状部１２が互いに重ね合わされ、それらの面状部１２に口枠２が重ね合わされた形状に折り畳まれて保管や店頭陳列に供される。このように集塵袋Ａを折り畳んでおくことは、保管や陳列に際して省スペース化を図ったり使用前の取扱性を高める上で有益である。なお、図８〜図１０では、折畳みによって生じる折り目を符号Ｌで示してある。
【０００５】
この集塵袋Ａを掃除機に使用するときには、図１０のように、口枠２を集塵袋本体１から起き上がらせて掃除機Ｃのノズル１００に嵌合させるということが行われる。こうしてノズル１００に集塵袋Ａを取り付けた後、掃除機Ｃを運転して部屋を清掃すると、同図の矢印Ｆ１のように流動エアによってノズル１００へ運ばれてきた塵芥がそのノズル１００の吐出口１１０から矢印Ｆ２のように吐き出されて集塵袋本体１によって捕集される。
【特許文献１】特開平１０−３１４０７９号公報
【特許文献２】特開平１０−８０３８４号公報
【特許文献３】特開平９−１８７４０６号公報
【特許文献４】実開平８−１２６１号公報
【発明の開示】
【発明が解決しようとする課題】
【０００６】
しかしながら、上記の集塵袋Ａは、使用前に偏平に折り畳まれているものであるため、その使用に際して図１０のように口枠２をノズル１００に嵌合させたときに、その折畳み癖が残って集塵袋本体１の外皮部分を形成している面状部１２がノズル１００の吐出口１１０の前側でその吐出口１１０を塞ぐという事態が起こり得る。この点に関し、図１０では、片側１つの面状部１２だけが吐出口１１０を前側で塞いでいる状態を例示しているけれども、口枠２の起き上がらせ方によっては両側２つの面状部１２，１２が吐出口１１０を前側で塞ぐこともある。
【０００７】
一方、集塵袋本体１には、ノズル１００の吐出口１１０から出る流動エアの流体圧やその吐出口１１０から吐出される塵芥との衝突荷重などに耐え得ることが要求されているので、その素材である紙濾材などには比較的硬くて腰が強いという性質が付与されている。このため、図１０のように口枠２をノズル１００に嵌合させて集塵袋Ａを使用に供したときに、その折畳み癖が残ることによって片側又は両側の面状部１２が吐出口１１０を前側で塞いでいると、ノズル１００の吐出口１１０から吐出される流動エアの流体圧によってはその面状部１２がまったく開かなかったり十分に開かなかったりすることになる。そのため、吐出口１１０から吐出された塵芥が、その吐出口１１０を前側で塞いでいる面状部１２に衝突して集塵袋本体１の開口部１１（入口部分）に堆積して詰まってしまうという事態の生じるおそれがあり、そのような事態が生じると、早期に掃除機Ｃの吸引作用が低下したりして集塵袋Ａを無駄に交換することを余儀なくされることになったり、ユーザが集塵袋Ａを手で開いて面状部１２を吐出口１１０の前側から逃がすという煩わしい作業を行う必要が生じたりする。
【０００８】
そこで、集塵袋Ａの使用に際して図９のように集塵袋本体１をユーザが手で膨らませてから口枠２を図１０のようにノズル１００に嵌合させるようにすれば、吐出口１１０から吐出された塵芥が早期に集塵袋本体１の入口部分に堆積して詰まってしまうというおそれがなくなるとも考えられる。しかし、集塵袋本体１をユーザが手であらかじめ膨らませるという作業は煩わしく、また、掃除機Ｃの集塵袋収容室のサイズによっては、集塵袋本体１を膨らませてからその口枠２をノズル１００に嵌合するという作業を行うことが困難な場合もある。
【０００９】
本発明は以上の事情に鑑みてなされたものであり、口枠をノズルに嵌合させることによって集塵袋本体をそのノズルに装着したときに、集塵袋本体の外皮部分を形成している面状部をノズルの吐出口を塞がない位置に逃がすとのできる対策を講じることによって、その集塵袋本体の入口部分に早期に塵芥が堆積して詰まるという事態を回避させることのできる掃除機の集塵袋を提供することを目的とする。
【課題を解決するための手段】
【００１０】
本発明に係る掃除機の集塵袋は、通気性を有する袋状の集塵袋本体の開口部に口枠が装備されている。そして、流動エアによって運ばれた塵芥を吐出する掃除機のノズルに上記口枠を嵌合することによってそのノズルの吐出口が上記集塵袋本体の内側に臨むようになっていると共に、上記ノズルに上記口枠を嵌合させるのに伴ってそのノズルの開口端で押し開かれることにより上記集塵袋本体の内側へ突出して、上記吐出口をその前側で塞いでいる上記集塵袋本体の外皮部分を押し拡げてその吐出口の前側位置から逃がす作用片が、上記口枠に連設されている。
【００１１】
この構成であると、ノズルに口枠を嵌合させると、作用片が、ノズルの開口端で押し開かれて集塵袋本体の内側へ突出することによって、ノズルの吐出口をその前側で塞いでいる集塵袋本体の外皮部分を押し拡げてその吐出口の前側位置から逃がすので、吐出口から吐出された塵芥が吐出口を前側で塞いでいる外皮部分に衝突するという事態を生じる余地がなくなる。そのため、吐出口から吐出された塵芥が集塵袋本体で効率よく集塵されるようになる。また、集塵袋本体の外皮部分を押し拡げられてその吐出口の前側位置から逃がされることによって、流動エアの流体圧によって集塵袋本体が膨らみやすくなるので、このことも、多量の塵芥を集塵袋本体で効率よく集塵させることに役立つ。
【００１２】
本発明では、上記作用片が、上記口枠に備わっているノズル嵌合用の開口の口縁を起点としてその開口内に突き出し、その作用片が上記ノズルの開口端で押し開かれるときの折曲り箇所がその作用片の上記口縁との連設箇所である基部に位置していることが望ましい。これによれば、作用片が口枠に一体化されるためにその作用片を口枠とは別体として製作する必要がなくなる。そのため、ノズルの開口端で押し開かれる作用片を有するものでありながら、部品点数が増えないという利点がある。
【００１３】
本発明において、上記集塵袋本体は、その外皮部分を形成している一対の面状部が互いに重なり合ってそれらの面状部に上記口枠が重ね合わされた折畳み形状を有し、上記作用片が、上記ノズルの開口端で押し開かれることによって一対の上記面状部のそれぞれを個別に押し拡げ可能な複数の分割片に分かれていることが望ましい。これによれば、集塵袋折り畳まれた集塵袋本体の一対の面状部のうちの一方側面状部が吐出口をその前側で塞いでいても、他方側面状部が吐出口をその前側で塞いでいても、さらに両方の面状部が吐出口をその前側で塞いでいても、吐出口を前側で塞いでいる面状部が複数の分割片のいずれかによって必ず押し開かれるようになる。
【００１４】
本発明では、上記作用片を有する上記口枠が１枚の厚紙を打ち抜くことによって製作されていて、その口枠の上記開口が打抜き跡によって形成されている、という構成を採用することが可能である。これによれば、厚紙素材を打ち抜いて口枠を製作する場合に、作用片や開口が同時に形成されるようになる。
【００１５】
本発明に係る掃除機の集塵袋は、通気性を有する袋状の集塵袋本体の開口部に口枠が装備されている掃除機の集塵袋において、上記集塵袋本体は、その外皮部分を形成している一対の面状部が互いに重なり合ってそれらの面状部に上記口枠が重ね合わされた折畳み形状を有して、流動エアによって運ばれた塵芥を吐出する掃除機のノズルに上記口枠を嵌合することによってそのノズルの吐出口が当該集塵袋本体の内側に臨むようになっており、上記ノズルに上記口枠を嵌合させるのに伴ってそのノズルの開口端で押し開かれることにより上記集塵袋本体の内側へ突出して、上記吐出口をその前側で塞いでいる上記集塵袋本体の上記面状部を押し拡げてその吐出口の前側位置から逃がす作用片が、上記口枠に備わっているノズル嵌合用の開口の口縁を起点としてその開口内に突き出し、かつ、その作用片が上記ノズルの開口端で押し開かれるときの折曲り箇所がその作用片の上記口縁との連設箇所である基部に位置していると共に、その作用片が、上記ノズルの開口端で押し開かれることによって一対の上記面状部のそれぞれを個別に押し拡げ可能な複数の分割片に分かれており、上記作用片を有する上記口枠が１枚の厚紙を打ち抜くことによって製作されてその口枠に備わっているノズル嵌合用の開口が打抜き跡によって形成され、上記口枠が上記ノズルに嵌合されることによってそのノズルの開口端で押し開かれた上記作用片が、上記折曲り箇所からの離反位置で上記ノズルの開口端によって内側から支えられるようになっている、という構成を採用することによっていっそう具体化される。この発明の作用などについては、後述する実施形態を参照して詳細に説明する。
【発明の効果】
【００１６】
以上のように、本発明によれば、当初折り畳まれていた集塵袋の口枠をノズルに嵌合させると、集塵袋本体の外皮部分が作用片によって押し拡げられてノズルの吐出口を塞がない位置に逃がされるので、その外皮部分がノズルの吐出口を前側で塞いだままノズルから塵芥が吐出されてその外皮部分に衝突して集塵袋本体の入口部分に堆積して詰まらせるという事態が未然に回避される。そのため、集塵袋の内容積が集塵のために効率よく利用されることになり、徒に早期に集塵袋を取り替えるという煩わしさや不経済性がなくなるだけでなく、掃除機による吸引作用が早期に低下してしまって有効な掃除が早期に行われなくなってしまうという事態もなくなる。
【００１７】
また、作用片が口枠に一体化されているものでは、作用片を別部品として製作する必要がないので、必要部品点数を増加させずに済むので、口枠ひいては当該集塵袋の製作に際してその量産化が阻害されないという効果が奏される。
【発明を実施するための最良の形態】
【００１８】
図１は本発明の実施形態である集塵袋Ａの概略斜視図、図２は同集塵袋Ａを掃除機Ｃのノズル１００に装着する手順を示した概略縦断側面図、図３は使用状態の概略縦断側面図である。なお、この実施形態は、自走型掃除機に用いられる集塵袋Ａを示している。
【００１９】
図１の集塵袋Ａは、紙濾材などの通気性を有する素材を袋状に形作ることによって製作された集塵袋本体１の開口部１１に口枠２を貼着することによって製作されている点、集塵袋本体１の外皮部分を形成している一対の面状部１２が互いに重ね合わされ、それらの面状部１２に口枠２が重ね合わされた形状に折り畳まれて保管や店頭陳列に供されるという点で、図８を参照して説明したものと同様である。なお、符号Ｌは、折畳みによって生じた折り目を示してある。
【００２０】
この実施形態は、口枠２に作用片３が付設されている点で図８を参照して説明したものと異なっている。この点を以下に説明する。
【００２１】
図１の集塵袋Ａの口枠２は、厚紙を打ち抜くことによって製作されていて、その打抜き工程で作用片３が同時に形成され、かつ、打抜き跡によって矩形の開口２１が形成されていて、この開口２１の口縁形状は、後述する掃除機Ｃのノズル１００の外周輪郭線形状に合わせてある。
【００２２】
図例の口枠２において、作用片３は、細長い短冊形の４つの分割片３１，３１，３２，３２に分かれていて、そのうちの２つが開口２１の口縁の相対向する２辺２２，２３のうちの一方側の辺２２を起点としてその２箇所から開口２１内に突き出し、残りの２つが他方側の辺２３を起点としてその２箇所から開口２１内に突き出している。また、それぞれの分割片３１，３２は、各辺２２，２３との連設箇所である基部が折曲り箇所として予定されているのであって、場合によってはその基部に線状の押し跡を形成して折り曲がりやすくするための処理を施しておいてもよい。
【００２３】
図例の口枠２において、開口２１の口縁の相対向する２辺２２，２３を選択してそれらの各辺２２，２３に分割片３１，３２を連設してあるのは、折り畳まれている集塵袋Ａにあっては、互いに重なり合っている面状部１２，１２に対応する辺がそれらの２辺２２，２３であることによる。
【００２４】
この集塵袋Ａを掃除機Ｃのノズル１００に装着する手順の一例を次に説明する。
【００２５】
まず、折り畳まれている集塵袋Ａの口枠２を起き上がらせた後、図２のようにその口枠２を斜めに傾けてその外端に備わっている位置決め凹所２５を掃除機Ｃ側の位置決めリブ２００に係合させる。そして、この状態から口枠２を矢印Ｒ１のように起こして図３のようにノズル１００に嵌合させる。次に、掃除機Ｃ側の上蓋３００を図３矢印Ｒ２のように閉じてその上蓋３００に備わっている上部係止爪３１０と掃除機Ｃ側の下部係止爪３２０とによってノズル１００からの口枠２の脱落を防止しておく。
【００２６】
こうしてノズル１００に集塵袋Ａを装着すると、ノズル１００の吐出口１１０が集塵袋本体１の内側に臨む。また、口枠２をノズル１００に嵌合させる過程では、ノズル１００の開口端１２０がそれぞれの分割片３１，３２を押し開くので、一方側の分割片３１が上側に開いて集塵袋本体１の内側へ突出し、他方側の分割片３１が下側に開いて集塵袋本体１の内側へ突出する。このため、ノズル１００の吐出口１１０をその前側で塞ごうとしている集塵袋本体１の面状部１２が存在するときには、その面状部１２が分割片３１又は分割片３２により押し拡げられて吐出口１１０の前側位置からその上方又は下方へ逃がされる。図３では、吐出口１１０をその前側で塞ごうとしている上側の面状部１２が分割片３１によって上方へ逃がされている状態を例示している。
【００２７】
図３の状態では、集塵袋本体１の面状部１２が吐出口１１０をその前側で塞ぐという状況に陥っていないので、掃除機Ｃを運転して部屋を清掃すると、同図の矢印Ｆ１のように流動エアによってノズル１００へ運ばれてきた塵芥がそのノズル１００の吐出口１１０から矢印Ｆ２のように吐き出されて集塵袋本体１によって捕集されるようになり、塵芥が早期に集塵袋本体１の開口１１（入口部分）に堆積して詰まるという事態が生じない。したがって、集塵袋本体１にはその内容積に見合う量の塵芥が効率よく捕集されるようになる。
【００２８】
特に、この実施形態では、口枠２がノズル１００に嵌合されることによってそのノズル１００の開口端１１０で押し開かれたそれぞれの分割片３１，３２が、それらの折曲り箇所からの離反位置でノズル１００の開口端１１０によって内側から支えられるようになっている。このため、一旦押し開かれた分割片３１，３２が振動などで初期の位置に復帰することがなくなって、集塵袋本体１に対する押し拡げ作用が確実に発揮されるという利点がある。
【００２９】
図４〜図７は様々な形状の作用片３を有する口枠２を例示した正面図である。図４の口枠２は、作用片３を分けることによって形成された２つの分割片３１，３２が、矩形の開口２１の相対向する２辺２２，２３のそれぞれに各別に連設されて開口２１内に突出し、かつ、それら２つの分割片３１，３２が開口２１の中央部で並んでいる。図５の口枠２は、図４の口枠２と略同一形状を有しているけれども、その分割片３１，３２が図４のものよりも幅広に形成されている。図６の口枠２は、矩形の開口２１の相対向する２辺２２，２３のそれぞれに櫛歯状に分割片３１，３２を連設してある。また、図７の口枠２は、円板形に形作られて円形の開口２１の口縁に、その開口２１内に径方向反対向きに突き出た一対の分割片３１，３２を連設してある。これらの各口枠２は、いずれも図１に示した口枠２に代えて用い得るものであって、それぞれの分割片３１，３２は、図３を参照して説明した使用状態において、ノズル１００の開口端１１０で押し開かれることによって集塵袋本体１の一対の面状部１２のそれぞれを個別に押し拡げる作用を発揮し得るものである。なお、図４〜図７には分割片３１，３２の折曲り箇所を破線ａで示してある。また、図１においても分割片３１，３２の折曲り箇所を破線ａで示してある。
【００３０】
本発明に係る集塵袋Ａにおいて、集塵袋本体１の形状は図例に限定されないことは勿論であり、また、集塵袋本体１の折畳み形状も図例に限定されない。
【図面の簡単な説明】
【００３１】
【図１】本発明の実施形態である集塵袋の概略斜視図である。
【図２】図１の集塵袋を掃除機のノズルに装着する手順を示した概略縦断側面図である。
【図３】使用状態の概略縦断側面図である。
【図４】口枠の変形例を示した正面図である。
【図５】口枠の他の変形例を示した正面図である。
【図６】口枠のさらに他の変形例を示した正面図である。
【図７】口枠のさらに他の変形例を示した正面図である。
【図８】従来例の概略斜視図である。
【図９】従来例の集塵袋を膨らませた状態の一部破断側面図である。
【図１０】従来例の集塵袋の使用状態を示した一部破断側面図である。
【符号の説明】
【００３２】
Ａ  集塵袋
Ｃ  掃除機
１  集塵袋本体
２  口枠
３  作用片
１１  開口部
１２  面状部
２１  開口
３１，３２  分割片
１００  ノズル
１１０  吐出口
１２０  ノズルの開口端
【図１】
2008061680.tif 000003
【図２】
2008061680.tif 000004
【図３】
2008061680.tif 000005
【図４】
2008061680.tif 000006
【図５】
2008061680.tif 000007
【図６】
2008061680.tif 000008
【図７】
2008061680.tif 000009
【図８】
2008061680.tif 000010
【図９】
2008061680.tif 000011
【図１０】
2008061680.tif 000012